(57)【要約】【課題】床全体に耐湿性を付与することができ、また施工作業も簡単な耐湿性床構造及びその施工方法を提供せんとするものである。【解決手段】本発明に係る耐湿性床構造は、根太１０の上に下地板１１を取り付け、該下地板１１の上に防水シート１２又は接着剤１６によって防水層を形成し、該防水層の上に耐湿性板材３を配設している。下地板１１側への湿気の侵入を防止するのは耐湿性板材３の保水性による。またその施工は、防水シート１２又は接着剤１６の防水層を介して耐湿性板材３を下地板１１の上へ取り付けるだけでよく、極めて簡単である。また床面の全面を耐湿性構造とすることが可能である。【選択図】  図１
2005240287.tif 000002
【特許請求の範囲】
【請求項１】
根太の上に取り付けた下地板と、該下地板を覆う防水層と、防水層の上に配設した耐湿性板材とから成る耐湿性床構造。
【請求項２】
前記耐湿性板材が、セメント質平板状心材の両表面側に補強ガラス繊維のメッシュシートを埋め込んで補強したセメントボードで構成されている請求項１に記載の耐湿性床構造。
【請求項３】
耐湿性板材から防水層を貫通して下地板へ侵入して止め付けられる連結具を備え、連結具と防水層とが密着して湿気を防水層より下層の下地板側へ浸透させないようにした請求項１又は２に記載の耐湿性床構造。
【請求項４】
防水層が防水シートで形成されている請求項１〜３のいずれか一つに記載の耐湿性床構造。
【請求項５】
防水層が下地板と耐湿性板材との間の全面に施された防水性接着剤層である請求項１〜３のいずれか一つに記載の耐湿性床構造。
【請求項６】
耐湿性板材の上に、建築意匠材を有機接着剤で貼着した請求項１〜５のいずれか一つに記載の耐湿性床構造。
【請求項７】
根太に下地板を取り付け、該下地板の上面全面に防水接着剤を所定厚み塗布して防水層を形成し、該防水層の上に耐湿性板材を圧着すると共に防水層の防水接着剤を硬化させて全体を一体化したことを特徴とする耐湿性床構造の施工方法。
【請求項８】
防水性接着剤が硬化する前に、耐湿性板材から下地板に侵入させた連結具によって圧着を行うようにした請求項７に記載の耐湿性床構造の施工方法。
【発明の詳細な説明】
【技術分野】
【０００１】
本発明は、浴室に隣接する脱衣室、または洗面所、便所等のように、床に耐湿性が要求される箇所の床構造及びその施工方法に関するものである。
【背景技術】
【０００２】
床に耐湿性を付与する従来の技術としては、特許文献１に示すような技術がある。この特許文献１の技術は、浴室に隣接する脱衣室の浴室との出入口付近の床に耐湿性を付与する場合のものである。同文献１の第３図に示すように、この技術では、脱衣室の浴室との出入口付近における根太等の木質下地板の上にラワン合板を取り付け、該ラワン合板の上に衝撃吸収材としての発泡ウレタンを貼着し、更にこの発泡ウレタンの上に平板状の強化プラスチックで形成した防水板を配設している。そして、防水板と通常の床との境界部分には、コーキングを施すようにしている。
【０００３】
床に耐湿性を付与する別の従来技術として、特許文献２に示すような技術もある。この特許文献２の技術も、浴室に隣接する脱衣室の浴室との出入口付近の床に耐湿性を付与するものである。特許文献２の技術では、同文献２の第１図及び第２図に示すように、脱衣室の床に防水床パンを設け、脱衣室内で使用者の身体から滴り落ちる水滴等を前記防水床パンで受け、これを浴室の洗い場側へ自然流下方式により排出するようにしている。
【特許文献１】実開平６−１６５８９号公報
【特許文献２】実用新案登録第２５１０９２６号公報
【発明の開示】
【発明が解決しようとする課題】
【０００４】
ところが、特許文献１の技術では、防水板の通常の床材との継ぎ目部分や防水板と壁面との境界に生じる隙間から湿度がラワン材及び根太等の木質下地板側へ伝わり、長期間をかけて下地板の強度を低下させるか又はこれを腐らせるという欠点があった。
【０００５】
一方、特許文献２の技術では、防水床パンが必須であり、コストアップの原因となる欠点があった。また防水床パンを搬入してその位置決めを行い、高さ調節等を必要とし、狭い床下領域での作業であるため、高さ調節した後、これを設置し、狂いがあれば、再度取り外して高さ調節をし、設置して様子を見ることを繰り返して行わねばならず、施工作業の全体が煩雑となる欠点があった。
【０００６】
本発明は従来の前記課題に鑑みてこれを改良除去したものであって、床全体に耐湿性を付与することができ、また施工作業も簡単な耐湿性床構造及びその施工方法を提供せんとするものである。
【課題を解決するための手段】
【０００７】
而して、前記課題を解決するために本発明が採用した請求項１の手段は、根太の上に取り付けた下地板と、該下地板を覆う防水層と、防水層の上に配設した耐湿性板材とから成る耐湿性床構造である。
【０００８】
前記課題を解決するために本発明が採用した請求項２の手段は、前記耐湿性板材が、セメント質平板状心材の両表面側に補強ガラス繊維のメッシュシートを埋め込んで補強したセメントボードで構成されている請求項１に記載の耐湿性床構造である。
【０００９】
前記課題を解決するために本発明が採用した請求項３の手段は、耐湿性板材から防水層を貫通して下地板へ侵入して止め付けられる連結具を備え、連結具と防水層とが密着して湿気を防水層より下層の下地板側へ浸透させないようにした請求項１又は２に記載の耐湿性床構造である。
【００１０】
前記課題を解決するために本発明が採用した請求項４の手段は、防水層が防水シートで形成されている請求項１〜３のいずれか一つに記載の耐湿性床構造である。
【００１１】
前記課題を解決するために本発明が採用した請求項５の手段は、防水層が下地板と耐湿性板材との間の全面に施された防水性接着剤層である請求項１〜３のいずれか一つに記載の耐湿性床構造である。
【００１２】
前記課題を解決するために本発明が採用した請求項６の手段は、耐湿性板材の上に、建築意匠材を有機接着剤で貼着した請求項１〜５のいずれか一つに記載の耐湿性床構造である。
【００１３】
前記課題を解決するために本発明が採用した請求項７の手段は、根太に下地板を取り付け、該下地板の上面全面に防水接着剤を所定厚み塗布して防水層を形成し、該防水層の上に耐湿性板材を圧着すると共に防水層の防水接着剤を硬化させて全体を一体化したことを特徴とする耐湿性床構造の施工方法である。
【００１４】
前記課題を解決するために本発明が採用した請求項８の手段は、防水性接着剤が硬化する前に、耐湿性板材から下地板に侵入させた連結具によって圧着を行うようにした請求項７に記載の耐湿性床構造の施工方法である。
【発明の効果】
【００１５】
請求項１の発明にあって、下地板側への湿気の侵入を防止するのは耐湿性板材であり、その施工は防水シート等の防水層を介して板材を下地板の上へ取り付けるだけでよく、極めて簡単である。また床面の全面を耐湿性構造とすることが可能である。
【００１６】
請求項２の発明にあっては、耐湿性板材が、セメント質平板状心材を補強ガラス繊維のメッシュシートで強化したセメントボードで構成されており、曲げに強くて割れ難く、下地板の保護機能に優れている。またセメントボードは、タイルを貼着する接着剤としてのモルタルや仕上げモルタルと同質材料であり、馴染みがよく、接着性に優れているという特徴もある。
【００１７】
請求項３の発明にあっては、防水層が、例えばブチルゴム等の自己接着性を有する接着剤である。これにより、ネジやクギ等の連結具を打ち込んで、耐湿性板材を下地板へ取り付けるに際し、防水層の接着剤がネジやクギと密着し、湿気が下地板へ浸透するのを防止することができる。
【００１８】
請求項４の発明にあっては、防水層が防水シートで形成されている。防水シートとしては、アスファルトルーフィングやゴムアスルーフィング等があり、ネジやクギ等の連結具を打ち込んだ場合に、請求項３の発明と同じようにルーフィング材料が連結具に密着し、湿気が下地板へ浸透することはない。またシート材であるため、その施工作業性は極めて良好である。
【００１９】
請求項５の発明にあっては、防水層が下地板と耐湿性板材との間の全面に施された防水性接着剤である。従って、下地板と耐湿性板材とが全面において一体化され、強度の飛躍的な向上が図れ、その結果、下地板の厚みを薄くすることが可能である。また接着剤層により、下地板と耐湿性板材との間の不陸が自動調整され、床鳴き等の不具合を解消することもできる。
【００２０】
請求項６の発明にあっては、耐湿性板材の上に、建築意匠材を有機接着剤で貼着しており、当該有機接着剤が防水層として機能するので、二重の防水機能を発揮することができ、床の耐湿性が更に向上する。
【００２１】
請求項７の発明は、請求項５の耐湿性床構造を実現する施工方法であり、板状の材料を貼ったり、防水性接着剤を塗布したりするだけの作業であり、極めて容易に行える。
【００２２】
請求項８の発明は、請求項７の耐湿性床構造において、防水性接着剤が硬化する前に、耐湿性板材から下地板へ侵入させた連結具によって、耐湿性板材を圧着している。
そのため、連結具と防水性接着剤とが密着し、連結具を伝わって湿気が下地板側へ浸透することがない。
【発明を実施するための最良の形態】
【００２３】
以下に、本発明の構成を図面に示す発明の実施の形態に基づいて説明すると次の通りである。図１及び図２は本発明の第１の実施の形態に係るものであり、図１の図（Ａ）は浴室Ｓの洗場とこれに隣接する脱衣室の浴室Ｓへの出入口の部分を示す縦断面図、図（Ｂ）は浴室Ｓの防水床パンＰと隣接室の浴室Ｓへの出入口部分の防水シート８とを示す平面図である。図２の図（Ａ）は脱衣室の浴室Ｓへの出入口部分の縦断面拡大図、図（Ｂ）は図（Ａ）を分解して示す縦断面図である。
【００２４】
同図に示す如く、この実施の形態にあっては、浴室Ｓの建物躯体床面Ｆに防水床パンＰを設置し、これに衝撃緩衝及び断熱作用を目的とする発泡スチロール，発泡プロピレン等の発泡板１を載置している。そして、この発泡板１の上に耐湿性板材３を配設している。耐湿性板材３は、セメント質の平板状心材の両表面側に補強ガラス繊維のメッシュシートを埋め込んで補強したセメントボードで構成されている。耐湿性板材３の上には、モルタル等の接着剤４を介してタイル５が貼着されている。また浴室Ｓの周囲には、建物躯体の壁Ｗに近接して側面壁２が立設されている。これらの建物躯体壁Ｗと側面壁２との間には、側面壁２の背面側の結露水等を防水床パンＰの内側に排出するための防水シート６が配設されている。
なお、図１の図（Ａ）において、符号７Ａ，７Ｂは浴槽設置面側と洗い場側の排水口親子トラップである。
【００２５】
浴室Ｓに隣接する脱衣室にあっては、浴室Ｓへの出入口部分に、防水層としてのパン状に形成された防水シート８が配設されている。防水シート８の浴室Ｓ側の端縁は、図１の図（Ａ）及び図（Ｂ）に示すように、防水床パンＰの内側まで延長されている。またこの防水シート８の上には、衝撃緩衝及び断熱作用を目的とする発泡スチロール，発泡ウレタン等の発泡板９が配設されている。一方、脱衣室の浴室Ｓへの出入口部分以外の領域には、図２の図（Ａ）及び図（Ｂ）に示すように、根太１０の上にベニア合板等の木質下地板１１が配設されており、この木質下地板１１の上に防水層としての防水シート１２が配設されている。前記浴室出入口側に配設されたパン状の防水シート８に面する防水シート１２の端縁は、パン状に形成された防水シート８の内側に入り込んで重なるようになされている。尚、防水シート８が柔軟性のある材料の場合、防水シート８の下に木質下地板１１があってもよい。また木質下地板１１は、木質でなくてもよく、樹脂板やステンレス、アルミ合金等の下地板であってもよい。
【００２６】
また防水シート１２が配設された木質下地板１１と、前記発泡板９、並びに洗い場側の発泡板１の上面高さは面一（洗い場側の排水勾配は有る）となるように設定されている。更に、発泡板９と木質下地板１１との上面側には、浴室洗い場側から連続する耐湿性板材３が配設されている。耐湿性板材３の固定は、木ネジ等の連結具１３によって根太１０へ行えばよい。そして、この脱衣室の耐湿性板材３の上にもモルタル等の接着剤４を介してタイル５が貼着されている。
なお、浴室Ｓと脱衣室との間には、タイル５と同じ高さのドアレール１４が配設されており、ドア１５を開けると、同一高さのタイル床面が脱衣室から洗い場側へ連続するようになり、老人や幼児等の出入り時につまづくことがないように配慮されている。
【００２７】
要するに、この実施の形態にあっては、浴室Ｓに隣接する室の木質下地板の上に、防水層としての防水シート８及び１２を配設し、更にその上に直接又は発泡板９を介して耐湿性板材３を配設し、該耐湿性板材３の上に表面材としてのタイル５を貼着している。このような耐湿性床構造であれば、浴室Ｓの洗い場から脱衣室へ移動した入浴者は、脱衣室の浴室Ｓへの出入口付近で身体に付着した水滴を拭き取るが、このときタイル床面上へ落下した水滴は、タイル５及びその目地部材によって下方への浸透は遮断される。
【００２８】
仮に、目地切れ等により、目地切れ部分から下方へ水滴が侵入したとしても、耐湿性板材３によって保水され、自然乾燥等によって消失する。従って、これより、下方に水滴が侵入することはあり得ないが、本実施の形態では、念のために防水シート８によってその下方の木質下地板側への侵入が阻止されるようになっている。なお、防水シート８の上に水滴が多量にあったとしても、その水滴は浴室洗い場側の防水床パンＰ側へ排出されるようになっており、木質下地板を腐食させる原因となることはない。
【００２９】
また脱衣室の防水シート８の上方以外の領域において、水滴がタイル床面上へ落下したとしても、タイル５と目地部材によって下方への浸透は遮断される。目地切れ等により、当該目地切れ部分から下方へ水滴が侵入したとしても、耐湿性板材３によって保水され、自然乾燥等によって消失する。仮に、耐湿性板材３を通過する水滴が多量にあったとしても、防水シート１２に捕捉され、防水シート８を通じて浴室洗い場側の防水床パンＰ上へ排出され、木質下地板を腐食させる原因となることはない。つまり、脱衣室の全部の床面を耐湿性床構造とすることが可能である。またその施工も防水シートを配設する等した後、耐湿性板材３を取り付けるだけでよく、従来の防水床パンを脱衣室に設ける場合に比較して極めて簡単である。
【００３０】
図３は、本発明の第２の実施の形態に係るものであり、脱衣室における浴室Ｓへの出入口付近を示す、拡大した分解縦断面図である。同図に示す如く、この実施の形態では、前記第１の実施の形態の場合と同じように、出入口付近にはパン状に形成した防水層としての防水シート８を木質下地板の上に配設し、防水シート８上に発泡スチロール，発泡プロピレン等の発泡材９を配設している。一方、この防水シート８が設けられた出入口付近以外の脱衣室の領域にあっては、根太１０の上にベニア合板等の木質下地板１１を配設し、当該木質下地板１１の上面側に防水層としての防水性接着剤１６を防水層を形成するに必要な厚み分だけ塗布している。
【００３１】
そして、接着剤１６が硬化しない状態で、耐湿性板材３を準備し、これを木ネジ等の連結具１３で根太１０まで螺子込んで耐湿性板材３と木質下地板１１とを一体的に連結し、固定している。このとき、接着剤層にあっては、連結具１３の廻りに接着剤が密着するようになり、接着剤１６は、その後、硬化するようになる。なお、前記耐湿性板材３は、前述した通り、セメント質の平板状心材の両表面側に補強ガラス繊維のメッシュシートを埋め込んで補強したセメントボードで構成されており、耐湿性板材３の上には、モルタル等の接着剤４を介してタイル５が貼着されている。
【００３２】
従って、この第２の実施の形態の場合も、タイル床面上へ落下した水滴は、タイル５及びその目地部材によって下方への侵入は阻止されるが、目地切れ等の部分から下方へ水滴が侵入したとしても、その下方の耐湿性板材３の保水性によって下方への侵入が阻止される。更に、耐湿性板材３の下方には、接着剤１３による防水層が形成されており、これより下方に水滴などが侵入することは決してない。その他の構成並びに作用効果は、前記第１の実施の形態の場合と同じである。
【００３３】
更に、第３の実施の形態について検討する。前記第１及び第２の実施の形態にあっては、耐湿性板材３の上にモルタル等の接着剤４を介してタイル５を貼着した場合を説明したが、耐湿性板材３の上に有機接着剤を介してタイル５及びその他の建築意匠材を貼着することも可能である。有機接着剤としては、エポキシ系接着剤、変成シリコーン系接着剤等があり、また建築意匠材としては、陶磁器タイル５以外に、石材、樹脂製の化粧材、木質化粧材、ガラス、セメント系化粧材、石灰又は石膏製の化粧材等が適用可能である。これらは、施工現場の仕様に応じて適宜選択される。このように、耐湿性板材３の上に有機接着剤を介して建築意匠材を貼着することにより、有機接着剤の層が防水層として機能し、建築意匠材から耐湿性板材３への湿気の移動が抑制される。
【００３４】
ところで、本発明は上述した実施の形態に限定されるものではなく、適宜の変更が可能である。例えば、脱衣室の床の全面を、木質下地板１１の上に防水シート１２又は防水性接着剤１６を配設し、その上に耐湿性板材３を取り付けて耐湿性床構造としてもよい。また木質下地板１１は、木質でなくてもよく、樹脂板やステンレス、アルミ合金等の下地板であってもよい。
【図面の簡単な説明】
【００３５】
【図１】本発明の第１の実施の形態に係るものであり、図（Ａ）は浴室の洗場とこれに隣接する脱衣室の浴室への出入口の部分を示す縦断面図、図（Ｂ）は浴室の防水床パンと隣接室の浴室への出入口部分の防水シートを示す平面図である。
【図２】本発明の第１の実施の形態に係るものであり、図（Ａ）は脱衣室の浴室への出入口部分の縦断面拡大図、図（Ｂ）は図（Ａ）を分解して示す縦断面図である。
【図３】本発明の第２の実施の形態に係るものであり、脱衣室の浴室への出入口部分の拡大した分解縦断面図である。
【符号の説明】
【００３６】
１…洗い場側の発泡板、２…浴室の側面壁、３…耐湿性板材、４…モルタル等の接着剤  、５…タイル、６…防水シート、７Ａ，７Ｂ…排水口親子トラップ、８…脱衣室側の防  水シート、９…脱衣室側の発泡板、１０…根太、１１…木質下地板、１２…防水シート  、１３…連結具、１６…耐水性接着剤
【図１】
2005240287.tif 000003
【図２】
2005240287.tif 000004
【図３】
2005240287.tif 000005